(57)【要約】      （修正有）【課題】簡易な構造であって製造コストの低減が可能であると共に、切断具の種類によらず、被結束体を保護可能な切断刃保護スティック及び切断刃保護冶具を提供する。【解決手段】結束具の切断時に、結束具に結束された被結束体を結束具切断刃から保護するための切断刃保護スティック１であって、結束具と被結束体表面との間に差し込み可能な平板形状を有すると共に、切断刃保護スティック１を収納する収納具２に設けられる係合部２２と着脱可能に係合される係合受部１３を所定位置に備え、係合受部１３が、収納具２の係合部２２に係合された状態で、収納具２内に収納される。また、平板表面及び裏面の少なくとも一方に設けられ、結束具と被結束体との間に差し込まれた切断刃保護スティック１の差し込み長さを測るための差込長さ計測手段１４を備える。【選択図】図２
0003210006.tif 000002
【実用新案登録請求の範囲】
【請求項１】
結束具の切断時に、結束具に結束された被結束体を結束具切断刃から保護するための切断刃保護スティックであって、
結束具と被結束体表面との間に差し込み可能な平板形状を有すると共に、
切断刃保護スティックを収納する収納具に設けられる係合部と着脱可能に係合される係合受部を所定位置に備え、
係合受部が、収納具の係合部に係合された状態で、収納具内に収納される、
切断刃保護スティック。
【請求項２】
平板表面及び裏面の少なくとも一方に設けられ、結束具と被結束体との間に差し込まれた切断刃保護スティックの差し込み長さを測るための差込長さ計測手段を更に備える、
請求項１に記載の切断刃保護スティック。
【請求項３】
可撓性のプラスチック製である、請求項１又は２に記載の切断刃保護スティック。
【請求項４】
請求項１から３のいずれか一項に記載の切断刃保護スティックと、
切断刃保護スティックを収納可能な収納具と、
を含み、
収納具内に収納された切断刃保護スティックは、
他の切断刃保護スティックと交換可能であると共に、
切断刃保護スティックの少なくとも一部分が収納具の外部に送出可能である、
切断刃保護冶具。
【請求項５】
収納具は、
切断刃保護スティックを収めるための内部中空域を備えるケース部と、
切断刃保護スティックを着脱可能に係合する係合部と、
を含み、
ケース部は、
内部中空域に収められた切断刃保護スティックの通過孔を備える通過孔配置端部と、
係合部を、通過孔配置端部に向けてスライド移動可能に支持する係合部支持溝と、
を含み、
係合部支持溝に支持された係合部がスライド移動することで、係合部に係合される切断刃保護スティックが、通過孔配置端部に向けて移動し、通過孔から収納具の外部に送出される、
請求項４に記載の切断刃保護冶具。
【請求項６】
収納具に収められた既存の切断刃保護スティックを係合部から脱離させ、それとは異なる他の切断刃保護スティックを新たに係合部に係合させることで、切断刃保護スティックの交換を行うことが可能である、
請求項５に記載の切断刃保護冶具。
【考案の詳細な説明】
【技術分野】
【０００１】
本考案は、切断刃保護スティック、及びこれを備える切断刃保護冶具に関する。
【背景技術】
【０００２】
通信用ケーブルや電源接続用ケーブル等は、例えば、商業用オフィス（ビルディング）、工場、あるいは発電所内等に配線される際、種々の形態の結束具（結束具の代表例として、プラスチック製の結束バンドが挙げられる。）によって結束されている（以下、結束バンドなどの結束具を単に「結束具」と言う場合がある。また、上記ケーブル等、結束具によって結束されるものを「被結束体」と言う場合がある。）。また、通常の使用時には結束されていない被結束体であっても、当該被結束体（上記ケーブル等）が接続される機械装置類の修理工事等の際、被結束体が作業の邪魔にならないよう被結束体を結束具によって結束することもある。
【０００３】
ここで、例えば上記工事作業の終了に伴い被結束体の結束状態を解除する場合、ニッパ（登録商標）やペンチなどの切断具を用いて結束具を切断する。しかし、結束具が被結束体にきつく巻着されていると、結束具と被結束体とが密着した状態となっており、切断具の切断刃（以下、「結束具切断刃」と言う場合がある。）が、結束具の他に被結束体にも接触することとなる。その状態で、結束具の切断が行われると、結束具切断刃が被結束体の少なくとも表面も切断してしまう場合がある。特に、被結束体が上記のような電気系ケーブルの場合、結束具切断刃が、ビニール製のケーブル被覆材を破り、内部の導線を損傷させてしまうこともある。そこで、そのような切断作業の際に、被結束体の損傷を防ぐ技術が求められている。
【０００４】
被結束体の損傷を防止するための技術が、下記の特許文献１及び非特許文献１に開示されている。特許文献１に記載の技術は、ヘッド部と、ヘッド部の一端側から帯状に延びるバンド部と、ヘッド部に装着されると共に、バンド部の延出方向に沿って突出する帯板状の舌片と、を備える結束バンドであって、舌片が、バンド部と被結束体（電気ケーブル）との間に配置されることで、被結束体が保護されるものである。
【０００５】
また、非特許文献１に記載の技術は、上記のような切断具の柄部分などに装着（巻着）可能な基部と、基部の一端部から延出されると共に略直角に屈曲する板状の舌片と、を備える刃先保護冶具であって、舌片の先端が、結束具と被結束体の間に差し込まれることで、切断具の刃先から被結束体を保護するものである。
【先行技術文献】
【非特許文献】
【０００６】
【特許文献１】特開２０１６−１１１８１６号公報
【非特許文献１】シーキューブ株式会社、「ニッパ刃先保護冶具」（インターネットＵＲＬ：http://www.c-cube-g.co.jp/_data/business/development/product/34-12.pdf）
【考案の概要】
【考案が解決しようとする課題】
【０００７】
しかしながら、特許文献１に記載の技術は、結束バンドのバンド部と舌片とが、ヘッド部を介して一体的に成形されている。すなわち、バンド部と舌片とは同じ素材によって形成されているため、切断具によってバンド部を切断する際、併せて舌片も切断されてしまう可能性を有する。その場合、舌片は、被結束体の保護機能を全うすることができず、切断具によって被結束体が損傷されるおそれがある。また、特許文献１に記載の技術は、結束バンド自体に舌片が備わる構成であるため、当該結束バンドを製造する際、汎用の結束バンドとは異なる生産設備が必要とされる。あるいは、専用の生産設備を用いずに手作業で舌片をヘッド部に取り付ける場合であっても、舌片がヘッド部から容易に取り外れる（折れる）などの不具合を生じさせず、且つバンド部と被結束体との間に舌片が適宜挿入されるよう、これを適切な位置に取り付けなければならない。すなわち、特許文献１に記載の技術は、作製（製造）コストが掛かるという課題を有する。
【０００８】
また、非特許文献１に記載の技術は、基部が切断具の柄部に装着される構成であるが、切断具の種類によって柄部の仕様（形状、構造、大きさ等）が異なるため、一の切断具には当該基部を装着可能（刃先保護冶具を装着可能）であるが、他種の切断具には装着できないなどの事態が生じ得る。すなわち、非特許文献１に記載の技術は、特定種類の切断具のみにしか使用できない可能性があり、汎用性の点で課題を有する。更に、非特許文献１に記載の技術は、舌片を被結束体に差し込む際、当該差込操作を行う側の手と異なる手で切断具を保持（支持）しなければならない。そのため、舌片の差込時に作業者の両手が塞がってしまう。すなわち、非特許文献１に記載の技術は、結束具切断前の準備等における作業性の点で課題を有する。
【０００９】
上記課題に鑑み、本考案は、簡易な構造であって製造コストの低減が可能であると共に、切断具の種類によらず、被結束体を保護可能な切断刃保護スティック及びこれを備える切断刃保護冶具を提供することを目的とする。また、結束具の切断及びそれに関連する種々の作業における作業性の点にも配慮された切断刃保護スティック及びこれを備える切断刃保護冶具を提供することを目的とする。
【課題を解決するための手段】
【００１０】
前記課題を解決するための本考案に係る切断刃保護スティックは、
結束具の切断時に、結束具に結束された被結束体を結束具切断刃から保護するものであり、
結束具と被結束体表面との間に差し込み可能な平板形状を有すると共に、
切断刃保護スティックを収納する収納具に設けられる係合部と着脱可能に係合される係合受部を所定位置に備え、
係合受部が、収納具の係合部に係合された状態で、収納具内に収納されることを特徴とする。
【００１１】
また、本考案に係る切断刃保護スティックは、
平板表面及び裏面の少なくとも一方に設けられ、結束具と被結束体との間に差し込まれた切断刃保護スティックの差し込み長さを測るための差込長さ計測手段を更に備えることが好ましい。
更に、本考案に係る切断刃保護スティックは、可撓性のプラスチック製であることが好ましい。
【００１２】
また、本考案に係る切断刃保護冶具は、
前記した切断刃保護スティックと、
切断刃保護スティックを収納可能な収納具と、
を含み、
収納具内に収納された切断刃保護スティックは、
他の切断刃保護スティックと交換可能であると共に、
切断刃保護スティックの少なくとも一部分が収納具の外部に送出可能であることを特徴とする。
【００１３】
更に、本考案に係る切断刃保護冶具は、
収納具が、
切断刃保護スティックを収めるための内部中空域を備えるケース部と、
切断刃保護スティックを着脱可能に係合する係合部と、
を含み、
ケース部は、
中空域に収められた切断刃保護スティックの通過孔を備える通過孔配置端部と、
係合部を、通過孔配置端部に向けてスライド移動可能に支持する係合部支持溝と、
を含み、
係合部支持溝に支持された係合部がスライド移動することで、係合部に係合される切断刃保護スティックが、通過孔配置端部に向けて移動し、通過孔から収納具の外部に送出されることを特徴とする。
【００１４】
更に、本考案に係る切断刃保護冶具は、
収納具に収められた既存の切断刃保護スティックを係合部から脱離させ、それとは異なる他の切断刃保護スティックを新たに係合部に係合させることで、切断刃保護スティックの交換を行うことが可能であることが好ましい。
【考案の効果】
【００１５】
本考案に係る切断刃保護スティックは、平板形状であると共に、切断刃保護冶具に設けられる係合部に係合される係合受部を備える簡易な構造である。また、本考案に係る切断刃保護冶具は、係合部（切断刃保護冶具側）と係合受部（切断刃保護スティック側）とが係合されることで、切断刃保護冶具の収納具に収められた切断刃保護スティックを着脱可能に装着する簡易な構造である。従って、本考案によれば、製造コストの低減が可能な切断刃保護スティック及び切断刃保護冶具を提供することができる。
【００１６】
また、本考案に係る切断刃保護冶具は、切断具とは構造上独立した構成であるため、特定の切断具のみにしか適合しないなどの事態は生じ得ず、いずれの種類の切断具であっても、結束具の切断時に併せて使用することができる。従って、本考案に係る切断刃保護スティック及び切断刃保護冶具は、切断具の種類の如何によらず被結束体を保護することが可能である。
【００１７】
また、本考案によれば、作業者の片手だけでも容易に切断刃保護冶具を操作することができる。従って、結束具と被結束体との間に切断刃保護スティックを差し込む作業等に労力が掛からず、当該作業を効率的に行うことができる。従って、本考案に係る切断刃保護スティック及び切断刃保護冶具は、結束具の切断及びそれに関連する種々の作業における作業性の点にも配慮されている。
【図面の簡単な説明】
【００１８】
【図１】本考案に係る切断刃保護スティックの表面図及び裏面図。
【図２】本考案に係る切断刃保護冶具の分解斜視図。
【図３】本考案に係る切断刃保護冶具の外観斜視図。
【図４】本考案に係る切断刃保護冶具の使用態様を示す図。
【考案を実施するための形態】
【００１９】
以下、図面を参照して本考案の望ましい実施形態を詳細に説明する。但し、本考案は多くの異なる態様で実施することが可能であり、以下に示す実施の形態の記載内容に限定して解釈されるものではない。
【００２０】
まず、図１を参照して本考案の一実施形態に係る切断刃保護スティック１を説明する。本実施形態に係る切断刃保護スティック１は、後述するように、結束具の切断時に結束具と被結束体との間に差し込まれる用具である。より詳しくは、切断具が結束具を切断する際、被結束体表面の切断刃当接域を覆うよう配置され、結束具切断刃から被結束体を保護する役割を担う。ここで、図１（ａ）は、本実施形態に係る切断刃保護スティック１の表面図であり、図１（ｂ）は、本実施形態に係る切断刃保護スティック１の裏面図である。
【００２１】
切断刃保護スティック１は、本体１１、先端１２、係合受部１３を含む。本実施形態に係る本体１１は、長尺の薄板（平板）形状を備える。これにより、結束具が被結束体をきつく縛り、双方の間に形成される隙間が非常に僅かであっても、その間に切断刃保護スティック１を差し込むことができる。
【００２２】
切断刃保護スティック１は、切断刃が当接しても損傷しない程度の強度を少なくとも有する。また、切断刃保護スティック１は、厚み方向に力が加わり撓んだ状態となったとしても、撓み曲部やその他の箇所に破断が生じない程度の柔軟性（フレキシブル性）を備えることが好ましい。切断刃保護スティック１の材質は、強度や柔軟性の観点からプラスチック製であることが好ましい。ただし、特に限定されるものではなく、金属製、木製など、他の素材が用いられてもよい。
【００２３】
先端１２は、切断刃保護スティック１が結束具と被結束体との間に差し込まれる際、当該間隙に最初に挿入される部分である。図１に示されるように、先端１２は、本体１１の一端から延設されて設けられる。また、本実施形態に係る先端１２は、先に行くに従い幅が漸減する形状を有する。ただし、切断刃保護スティック１が結束具と被結束体との間に差し込まれる際、被結束体を損傷させないために、先端１２の端縁は、丸みを帯びた状態であることが好ましい。ただし、先端１２の形状は、これに限定されるものではない。
【００２４】
更に、本実施形態における先端１２は、構造上、本体１１と一体である。ただし、これに限定されるものではなく、本体１１と先端１２とは別部材から構成されていてもよい。その際、任意の接続手段によって双方を繋ぎ合わせるような構成であることが好ましい。上記のように、本体１１と先端１２とを各々切り離し可能な別部材とすることで、結束具、被結束体、切断具の種類や形状等に応じて、それに適合する形状・構造の複数の先端１２を交換可能に使用することができる。
【００２５】
係合受部１３は、後述する切断刃保護冶具に設けられる係合部と係合するものである。本実施形態に係る係合受部１３は、本体１１の他端側（先端１２とは逆側の端部側）に設けられ、厚み方向に本体１１を貫通する貫通孔である。後述のように、係合受部１３は、切断刃保護冶具の係合部を受けるための部分であるが、本実施形態における当該係合部は、突起型の形状を有している。この係合部が、係合受部１３に嵌まり込むことで、双方が係合される。ただし、係合受部１３の構造・態様、及び本体１１における配置等は、これに限られるものではない。
【００２６】
切断刃保護スティック１は、結束具と被結束体との間に差し込まれた自身（切断刃保護スティック１）の差し込み長さを測るための差込長さ計測手段１４を更に備えることが好ましい。本実施形態に係る差込長さ計測手段１４は、本体１１の表面に記される目盛りである。このような差込長さ計測手段１４を設けることで、切断刃保護スティック１の差込長さを作業者が客観的に把握することができる。例えば、作業マニュアル等に、切断刃保護スティック１の差込長さを具体的に規定することで、全ての作業者に対して、被結束体の切断が生じないための切断刃保護スティック１の差込長さを客観的に伝達することができる。それにより、上記のような不手際を極力減少させることができる。
【００２７】
また、切断刃保護スティック１の差し込みが浅いなどの理由で作業者が誤って被結束体を損傷させてしまっても、差込長さ計測手段１４が存すれば、その際の差込長さを作業者に把握させることができる。それにより、当該作業者が以後同様の失敗を繰り返すことを防止できる。更に、そのような不手際が生じた原因の究明を迅速に行うことができる。
【００２８】
次に、図２及び図３を参照して本考案の一実施形態に係る切断刃保護冶具１００を説明する。ここで、図２は、本実施形態に係る切断刃保護冶具１００の分解斜視図であり、図３は、本実施形態に係る切断刃保護冶具１００の外観斜視図である。図２及び図３に示されるように、本実施形態に係る切断刃保護冶具１００は、上記した切断刃保護スティック１と、切断刃保護スティック１を収納するための収納具２を含む。
【００２９】
収納具２は、ケース部２１、係合部２２、開口蓋部２３を含む。ここで、ケース部２１は、図２及び図３に示されるように、切断刃保護スティック１を収める内部中空域２１１、切断刃保護スティックの通過孔２１２を備える通過孔配置端部２１３を含む。ケース部２１において、通過孔配置端部２１３の反対側端は、開口している。この開口は、着脱可能な開口蓋部２３によって塞がれる。
【００３０】
更に、ケース部２１は、係合部２２を支持する係合部支持溝２１４を含む。本実施形態における係合部支持溝２１４は、ケース部２１の上面に設けられ、通過孔配置端部２１３の近傍から反対側端（開口端）に渡って形成される。後述するように、本実施形態における係合部２２は、係合部支持溝２１４に対してスライド移動可能に装着支持される。従って、係合部支持溝２１４の縁は、スライド移動される係合部２２を所定ポジションに停止させる鋸刃状であることが好ましい。
【００３１】
本実施形態における係合部２２は、ケース部２１（内部中空域２１１）に収められた切断刃保護スティック１を装着支持すると共に、ケース部２１の係合部支持溝２１４の長さ方向に沿ってスライド移動可能に配置されるものである。より詳しくは、係合部２２は、係合部支持溝２１４にスライド移動可能な状態で装着支持される。
【００３２】
図２に示されるように、係合部２２は、係合突起部２２１、作用部２２２を含む。係合突起部２２１は、切断刃保護スティック１の係合受部１３と係合する。本実施形態において、係合突起部２２１は、貫通孔である係合受部１３に嵌まり込む。これにより双方が、着脱可能に係合される。
【００３３】
作用部２２２は、係合部２２のスライド移動の際、作業者からの押圧作用が施される部材である。作業者の押圧方向に応じて、係合部２２の移動方向が制御される（係合部２２が、ケース部２１の通過孔配置端部２１３側に移動するか、開口蓋部２３側に移動するかの制御。）。図３に示されるように、作用部２２２は、所定の厚みを有する長尺状の部材である。
【００３４】
また、本実施形態における係合部２２は、作用部２２２を載置する台座部２２３を更に備える。図２に示されるように、台座部２２３は、ケース部２１の通過孔配置端部２１３側に向けて突設される突設片２２３１を更に備えている。係合突起部２２１は、突設片２２３１に装着される。
【００３５】
本実施形態において、台座部２２３の側部の所定位置（係合部支持溝２１４の鋸刃縁と対向する位置）に係合部支持溝２１４の鋸刃縁と噛み合う噛合手段（図示していない）が設けられる。台座部２２３の噛合手段が、係合部支持溝２１４の鋸刃縁に噛合うことで、係合部２２は、係合部支持溝２１４にスライド移動可能な状態で装着支持される。上記噛合手段としては、係合部支持溝２１４の鋸刃縁の各窪み部分に噛合う突状部などが考えられる。突状部は、鋸刃縁と噛み合う際、台座部２２３の内側に向けて鋸刃縁から押圧される。ここで、突状部は、当該押圧方向に移動可能に設けられていると共に、所定の弾性機能を備えている。そのため、突状部は、鋸刃縁に押圧されると押圧方向に移動し、且つ移動によって生じた付勢力によって鋸刃縁を押圧する。これにより、台座部２２３がスライド移動しても、突状部は、常時、係合部支持溝２１４の鋸刃縁に当接し、これと噛み合う状態となる。ただし、上記は、噛合手段の一例であり、これに限られるものではない。
【００３６】
なお、収納具２に収められた切断刃保護スティック１は、着脱可能な状態で係合部２２に装着されている。すなわち、切断刃保護スティック１は、それとは異なる他の切断刃保護スティック１と交換可能である。
【００３７】
特に、本実施形態は、係合突起部２２１（係合部２２側）が係合受部１３（切断刃保護スティック１側）に単に嵌め込まれることで切断刃保護スティック１と係合部２２とが係合する構造である。また、既存の切断刃保護スティック１の係合受部１３から係合突起部２２１の嵌め込み（係合）を解除し、当該係合突起部２２１を改めて新しい切断刃保護スティック１の係合受部１３に嵌め込む（係合させる）のみの作業で、既存の切断刃保護スティック１を新たな切断刃保護スティック１に交換することができる。従って、本実施形態によれば、簡易な構成で作業負担を生じさせずに切断刃保護スティック１を交換することができる。
【００３８】
次に、図３を参照してケース部２１に収められた切断刃保護スティック１のスライド動作について説明する。図３（ａ）に示されるように、切断刃保護冶具１００の非使用時において、切断刃保護スティック１は、ケース部２１の内部中空域２１１に完全に収納されている。
【００３９】
続いて、結束具の切断作業を行うため切断刃保護冶具１００が使用される際、作業者は、係合部２２の作用部２２２を押圧し、係合部２２及びこれに係合される切断刃保護スティック１を通過孔配置端部２１３側に向けてスライド移動させる。
【００４０】
スライド移動された切断刃保護スティック１は、図３（ｂ）に示されるように、先端１２側から順次通過孔２１２を通過し、ケース部２１（収納具２）の外部に送出される。切断刃保護スティック１の外部送出長が所望の長さまで達した段階で、作業者は、作用部２２２の押圧を止める。これにより、切断刃保護スティック１のスライド移動も停止する。後述するように、ケース部２１の外部に送出された切断刃保護スティック１の一部分が、結束具と被結束体との間に差し込まれることとなる。
【００４１】
次に、図４を参照して切断刃保護冶具１００の使用態様を説明する。上記したように、作業者は、ケース部２１の外部に送出された切断刃保護スティック１の一部分を結束具と被結束体との間に差し込む。
【００４２】
次に、作業者は、結束具の切断作業を行うため切断具を結束具に接触（当接）させる。その際、作業者は、差し込まれた切断刃保護スティック１と重なる結束具の領域に切断具を接触させる。その状態で、作業者は、切断具を操作して結束具を切断する。このとき、被結束体の表面は、切断刃保護スティック１によって保護されているため、結束具の切断に伴い被結束体の表面や内部が切断される事態が防がれる。
【００４３】
このように、結束具の切断作業の際、切断刃保護スティック１のスライド移動（ケース部２１外部への切断刃保護スティック１の送出）と、送出された切断刃保護スティック１の結束具・被結束体間への差し込み動作を、作業者は片手のみで行うことができる。従って、本実施形態は、結束具の切断及び関連作業における作業性の向上に大きく寄与する。
【符号の説明】
【００４４】
１          切断刃保護スティック
１１        切断刃保護スティックの本体
１２        切断刃保護スティックの先端
１３        係合受部
１４        差込長さ計測手段
２          収納具
２１        ケース部
２１１      内部中空域
２１２      切断刃保護スティックの通過孔
２１３      通過孔配置端部
２１４      係合部支持溝
２２        係合部
２２１      係合突起部
２２２      作用部
２２３      台座部
２３        開口蓋部
１００      切断刃保護冶具
【図１】
0003210006.tif 000003
【図２】
0003210006.tif 000004
【図３】
0003210006.tif 000005
【図４】
0003210006.tif 000006